(57)【要約】【課題】簡易な操作によって常に同一条件で検体を滴下することが可能な比重針固定台およびこれを用いたヘモグロビン測定装置を提供する。【解決手段】比重針固定台を、基台２と回動台３とから構成し、回動台３を、その取り付け位置を支点として回動自在に基台２へ取り付け、比重針４の針先から検体を滴下させる際に、回動台３を回動させることによって、回動台３に固定された比重針４をその針先を中心として回動させ、これにより回動時に常に略同一位置にある比重針４の針先から検体を滴下させるように構成した。【選択図】  図１
2005017124.tif 000002
【特許請求の範囲】
【請求項１】
基台と、
比重針が固定される回動台とを備え、
前記回動台は、その取り付け位置を支点として回動自在に前記基台へ取り付けられ、
前記比重針の針先から検体を滴下させる際に、前記回動台を回動させることによって、前記回動台に固定された前記比重針をその針先を中心として回動させ、
これにより回動時に常に略同一位置にある前記比重針の針先から前記検体を滴下させるように構成したことを特徴とする比重針固定台。
【請求項２】
前記回動台の両側側部から、該回動台の長手方向へ略平行に延出された一対の延出部を設けるとともに、
一対のピン取り付け部を前記基台上に対峙して設け、
前記各延出部と各ピン取り付け部とをピンで取り付けるとともに、一方のピンから他方のピンへ向かう回動軸線上に針先が位置するように前記比重針を前記回動台へ固定し、
これにより回動時に常に略同一位置にある前記比重針の針先から前記検体を滴下させるように構成したことを特徴とする請求項１に記載の比重針固定台。
【請求項３】
前記基台上を前記回動台の回動軸線と略垂直な方向へ移動可能なスライダを設け、
前記スライダを移動させて所定位置に位置させるとともに、前記スライダで前記回動台を下部側から支持することによって、前記回動台を所定角度で保持可能に構成したことを特徴とする請求項２に記載の比重針固定台。
【請求項４】
前記回動台に、前記スライダと当接する摺動面を設け、
前記摺動面に前記スライダを当接させて前記回動台を下部側から支持するとともに、前記スライダを前記摺動面上を摺動させながら移動させることにより前記回動台を回動させるように構成したことを特徴とする請求項３に記載の比重針固定台。
【請求項５】
前記基台に前記回動台の回動軸線と略垂直な方向に沿って貫通穴が形成され、
前記スライダが、
前記基台の表面側に設けられた、前記回動台を支持する支持部と、
前記貫通穴に設けられた案内部と、
前記基台の裏面側に設けられ、前記基台を前記支持部とともに前記貫通穴を介して挟持する押さえ部とから構成され、
前記貫通穴によって前記案内部を案内して前記スライダを当該貫通穴方向に沿って移動させるようにしたことを特徴とする請求項３または４に記載の比重針固定台。
【請求項６】
前記スライダにスライダレバーが取り付けられ、
前記スライダレバーは、前記スライダとの取り付け位置から前記回動台の回動軸線と離反する方向へ延出されているとともに、延出側の端部に立設部が設けられ、
前記立設部にハンドルピンを介してハンドル板が回動自在に固定されるとともに、前記立設部とハンドル板との間に、これらが互いに離反する方向へ付勢するハンドルバネが設けられ、
前記スライダ位置を移動させる際には、前記ハンドル板を立設部方向へ回動させ、これにより前記ハンドル板を前記基台から離反させた状態で前記スライダを移動させるとともに、
前記スライダ位置を固定する際には、前記ハンドル板と立設部との間の付勢力によって、前記ハンドル板を前記基台へ押し付けて前記スライダを固定させるように構成したことを特徴とする請求項３〜５のいずれかに記載の比重針固定台。
【請求項７】
前記回動台を上方向へ回動させた際に、所定角度で回動を停止させる回動ストッパを前記基台に設けたことを特徴とする請求項２に記載の比重針固定台。
【請求項８】
前記回動ストッパを、前記ピン取り付け部に形成した前記所定角度を有する壁面で構成し、
前記回動台を上方向へ回動させた際に、前記延出部が前記壁面へ当接することによって、前記所定角度で回動を停止させるようにしたことを特徴とする請求項７に記載の比重針固定台。
【請求項９】
位置変位によって前記回動台を回動駆動する回動駆動部材を前記基台に設けるとともに、該回動駆動部材を有する回動速度調整手段を備え、前記回動速度調整手段は、前記回動駆動部材の一定量の位置変位によって前記回動台を略一定角度回動させることを特徴とする請求項２に記載の比重針固定台。
【請求項１０】
前記回動駆動部材が、前記基台上を前記回動台の回動軸線と略垂直な方向へ移動可能なスライダであり、
前記回動速度調整手段が、前記スライダと、前記回動台に設けられた摺動面で構成され、
前記摺動面に前記スライダを当接させて前記回動台を下部側から支持し、前記スライダを前記摺動面上を摺動させながら移動させることにより前記回動台を回動させるように構成するとともに、前記摺動面を、前記スライダの一定距離の移動によって前記回動台が略一定角度回動するような曲面に形成したことを特徴とする請求項９に記載の比重針固定台。
【請求項１１】
請求項１〜１０のいずれかに記載の比重針固定台と、検体を測定して得た吸光度に基づきヘモグロビン濃度を算出する吸光度測定部とを備え、
前記吸光度測定部は、検体保持手段と、前記検体保持手段内の検体へ測定光を照射する光照射手段とを備え、
前記比重針の針先から前記検体保持手段へ検体を滴下させ、この検体保持手段に保持された検体へ前記光照射手段によって測定光を照射して吸光度測定を行うように構成したことを特徴とするヘモグロビン測定装置。
【発明の詳細な説明】
【０００１】
【発明の属する技術分野】
本発明は、検体を収容した比重針を固定して所定位置へ該検体を滴下させる比重針固定台およびこれを用いたヘモグロビン測定装置に関する。
【０００２】
【従来の技術】
献血を行う際には、事前に血液比重測定、ヘモグロビン測定等によって、予め定められた基準に基づき血液検査を行っている。
【０００３】
このうち、ヘモグロビン測定では採血した検体中のオキシヘモグロビン濃度を吸光度分析によって測定して、貧血等の有無について検査を行う。
【０００４】
このヘモグロビン測定を行うためのヘモグロビン測定装置には、採血した検体を収容した比重針を固定する比重針固定台が設けられている（例えば、特許文献１を参照）。従来提案されている比重針固定台の一例を図１７に示す。この比重針固定台１００では、先ず、比重針１０４の針管１０４ａの直径程度の幅を有するスリットが形成されたＲ部１５１の当該スリットへ、針管１０４ａを挿入した状態で水平に載置する。
【０００５】
次いで、針管１０４ａの針元１０４ｐをＲ部１５１のＲ曲面に合わせながら比重針１０４を持ち上げて回動させ、これによって針管１０４ａの支点１０４ｑから先に位置する針先１０４ｒを、その軌道が常に検体保持材１５２に対する垂直線１５３上に位置するように下降させるとともに、所定の傾斜角度となった所で比重針１０４の針先１０４ｒから検体を検体保持材１５２に滴下する。そして、この検体保持材１５２に収容された検体へ測定光を照射して吸光度測定を行い、ヘモグロビン濃度を算出する。
【０００６】
【特許文献１】
特開２００２−４００１９号公報
【０００７】
【発明が解決しようとする課題】
このようなヘモグロビン測定装置においては、検体の滴下位置が測定精度を左右する要因となる。即ち、検体保持材１５２に滴下された検体は、数秒の時間を掛けて検体保持材１５２上を拡散していくため、例えば検体が滴下される針先１０４ｒの高さが異なれば、検体保持材１５２上を検体が拡散していく速度も変化するため、正確な濃度測定ができなくなる虞がある。
【０００８】
そして、従来の比重針固定台１００では、回動に伴い針先１０４ｒが移動するため、操作によっては滴下時における針先１０４ｒの高さ位置が必ずしも常に一定とはならず、上述したように測定精度に影響する虞がある。
【０００９】
本発明は、このような従来技術の問題点に鑑み為されたものであり、その目的は、簡易な操作によって常に同一条件で検体を滴下することが可能な比重針固定台およびこれを用いたヘモグロビン測定装置を提供することにある。
【００１０】
【課題を解決するための手段】
本発明の比重針固定台は、基台と、
比重針が固定される回動台とを備え、
前記回動台は、その取り付け位置を支点として回動自在に前記基台へ取り付けられ、
前記比重針の針先から検体を滴下させる際に、前記回動台を回動させることによって、前記回動台に固定された前記比重針をその針先を中心として回動させ、
これにより回動時に常に略同一位置にある前記比重針の針先から前記検体を滴下させるように構成したことを特徴とする。
【００１１】
また、本発明の比重針固定台は、前記回動台の両側側部から、該回動台の長手方向へ略平行に延出された一対の延出部を設けるとともに、
一対のピン取り付け部を前記基台上に対峙して設け、
前記各延出部と各ピン取り付け部とをピンで取り付けるとともに、一方のピンから他方のピンへ向かう回動軸線上に針先が位置するように前記比重針を前記回動台へ固定し、
これにより回動時に常に略同一位置にある前記比重針の針先から前記検体を滴下させるように構成したことを特徴とする。
【００１２】
また、本発明の比重針固定台は、前記基台上を前記回動台の回動軸線と略垂直な方向へ移動可能なスライダを設け、
前記スライダを移動させて所定位置に位置させるとともに、前記スライダで前記回動台を下部側から支持することによって、前記回動台を所定角度で保持可能に構成したことを特徴とする。
【００１３】
また、本発明の比重針固定台は、前記回動台に、前記スライダと当接する摺動面を設け、
前記摺動面に前記スライダを当接させて前記回動台を下部側から支持するとともに、前記スライダを前記摺動面上を摺動させながら移動させることにより前記回動台を回動させるように構成したことを特徴とする。
【００１４】
また、本発明の比重針固定台は、前記基台に前記回動台の回動軸線と略垂直な方向に沿って貫通穴が形成され、
前記スライダが、
前記基台の表面側に設けられた、前記回動台を支持する支持部と、
前記貫通穴に設けられた案内部と、
前記基台の裏面側に設けられ、前記基台を前記支持部とともに前記貫通穴を介して挟持する押さえ部とから構成され、
前記貫通穴によって前記案内部を案内して前記スライダを当該貫通穴方向に沿って移動させるようにしたことを特徴とする。
【００１５】
また、本発明の比重針固定台は、前記スライダにスライダレバーが取り付けられ、
前記スライダレバーは、前記スライダとの取り付け位置から前記回動台の回動軸線と離反する方向へ延出されているとともに、延出側の端部に立設部が設けられ、
前記立設部にハンドルピンを介してハンドル板が回動自在に固定されるとともに、前記立設部とハンドル板との間に、これらが互いに離反する方向へ付勢するハンドルバネが設けられ、
前記スライダ位置を移動させる際には、前記ハンドル板を立設部方向へ回動させ、これにより前記ハンドル板を前記基台から離反させた状態で前記スライダを移動させるとともに、
前記スライダ位置を固定する際には、前記ハンドル板と立設部との間の付勢力によって、前記ハンドル板を前記基台へ押し付けて前記スライダを固定させるように構成したことを特徴とする。
【００１６】
また、本発明の比重針固定台は、前記回動台を上方向へ回動させた際に、所定角度で回動を停止させる回動ストッパを前記基台に設けたことを特徴とする。
【００１７】
また、本発明の比重針固定台は、前記回動ストッパを、前記ピン取り付け部に形成した前記所定角度を有する壁面で構成し、
前記回動台を上方向へ回動させた際に、前記延出部が前記壁面へ当接することによって、前記所定角度で回動を停止させるようにしたことを特徴とする。
【００１８】
また、本発明の比重針固定台は、位置変位によって前記回動台を回動駆動する回動駆動部材を前記基台に設けるとともに、該回動駆動部材を有する回動速度調整手段を備え、前記回動速度調整手段は、前記回動駆動部材の一定量の位置変位によって前記回動台を略一定角度回動させることを特徴とする。
【００１９】
また、本発明の比重針固定台は、前記回動駆動部材が、前記基台上を前記回動台の回動軸線と略垂直な方向へ移動可能なスライダであり、
前記回動速度調整手段が、前記スライダと、前記回動台に設けられた摺動面で構成され、
前記摺動面に前記スライダを当接させて前記回動台を下部側から支持し、前記スライダを前記摺動面上を摺動させながら移動させることにより前記回動台を回動させるように構成するとともに、前記摺動面を、前記スライダの一定距離の移動によって前記回動台が略一定角度回動するような曲面に形成したことを特徴とする。
【００２０】
また、本発明のヘモグロビン測定装置は、上述した比重針固定台と、検体を測定して得た吸光度に基づきヘモグロビン濃度を算出する吸光度測定部とを備え、
前記吸光度測定部は、検体保持手段と、前記検体保持手段内の検体へ測定光を照射する光照射手段とを備え、
前記比重針の針先から前記検体保持手段へ検体を滴下させ、この検体保持手段に保持された検体へ前記光照射手段によって測定光を照射して吸光度測定を行うように構成したことを特徴とする。
【００２１】
【発明の実施の形態】
以下、本発明を図面を参照しながら詳細に説明する。
【００２２】
図１は、本発明の一実施形態に係る比重針固定台の斜視図、図２は、図１の比重針固定台の正面図、図３は、図１の比重針固定台の部分上面図である。
【００２３】
図１〜３に示したように、本実施形態の比重針固定台１は、基台２と、回動台３とを備えている。採取した血液等の検体を収容した比重針４は、回動台３に形成された溝８へ固定される。回動台３は、基台２へピン５を介して図２のｒ−ｒ’方向に回動自在に取り付けられ、回動台３に取り付けたレバー１０を把持して回動台３を上方へ回動することによって、これに固定された比重針４を上方へ回動してその針先４ａから基台２に形成された貫通穴９を介して図示しない検体保持材へ検体を滴下させるようにしている。
【００２４】
回動台３には一対の延出部６，６が設けられ、回動台３の両側側部からその長手方向へ略平行に延出させている。一方、基台２上には一対のピン取り付け部７，７が対峙して設けられ、各延出部６と各ピン取り付け部７とをピン５で取り付けている。
【００２５】
比重針４は、その針先４ａが一方のピン５から他方のピン５へ向かう回動軸線１１上に位置するように回動台３へ固定される。これによって、回動台３を回動させた際に、回動台３に固定された比重針４は針先４ａを中心として回動することになる。したがって、比重針４の針先４ａは回動によってその位置が移動せず、回動台３がいずれの角度であっても検体は常に略同一位置から滴下される。
【００２６】
このように、回動台３をその取り付け位置を支点として回動自在に基台２へ取り付けるとともに、回動台３を回動させることによって、回動台３に固定された比重針４をその針先４ａを中心として回動させているため、検体は常に略同一位置にある針先４ａから滴下され、検体保持材へ常に同一条件で検体を滴下することができる。
【００２７】
図４は、本発明の他の実施形態に係る比重針固定台の斜視図、図５は、図４の比重針固定台の正面図、図６は、図４の比重針固定台の上面図、図７は、図４のＡ−Ａ線による部分断面図である。
【００２８】
例えば、１日に多数の検体の測定をしなければならない場合、各検体の測定ごとに、検体が滴下されるまで回動台３を手で保持することは非常に手間が掛かるともに、検体が滴下されるまでの間に他の作業をすることができない。
【００２９】
そこで、本実施形態では、回動台３を所定角度で保持するためのスライダ２１を基台２に設けている。このスライダ２１は、基台２上を回動台３の回動軸線１１と略垂直な方向に沿って移動可能であり、スライダ２１に取り付けられたスライダレバー２３を把持してスライダ２１を移動させ、スライダ２１を所定位置に位置させるとともに、回動台３を下部側から支持することによって回動台３を所定角度で保持できるように構成されている。
【００３０】
また、回動台３にはスライダ２１と当接する摺動面２２が設けられ、この摺動面２２にスライダ２１を当接させて回動台３を下部側から支持するとともに、スライダ２１を摺動面２２上を摺動させながら移動させることにより回動台３を回動させるようにしている。
【００３１】
本実施形態では、図７のＡ−Ａ断面図に示したように、スライダ２１が支持部２１ａと、案内部２１ｂと、押さえ部２１ｃとから構成されている。
【００３２】
支持部２１ａは基台２の表面側に設けられ、回動台３の摺動面２２と当接してこれを支持する。
【００３３】
案内部２１ｂは、基台２に回動台３の回動軸線１１と略垂直な方向に沿って形成された長尺の貫通穴２４内に設けられ、スライダ２１はこの案内部２１ｂで貫通穴２４によって案内されて貫通穴２４の長尺方向に沿って移動する。
【００３４】
押さえ部２１ｃは基台２の裏面側に設けられ、基台２を支持部２１ａとともに貫通穴２４を介して挟持する。
【００３５】
また、この貫通穴２４の回動軸線１１側の端部によって、回動台３を所定角度で停止させる回動ストッパを構成している。即ち、スライダレバー２３を把持してスライダ２１を回動軸線１１側へ移動させていくと、案内部２１ｂが貫通穴２４の回動軸線１１側の端部に当接して所定位置でスライダ２１の移動が停止され、これに伴って、スライダ２１に案内されて回動していた回動台３の回動が、この貫通穴２４の端部位置で規定される所定角度で停止される。本実施形態では、案内部２１ｂが貫通穴２４の端部と当接した際に、回動台３（比重針４）の角度が約３０度となるようにしている。
【００３６】
このように、本実施形態ではスライダ２１を設けて回動台３を所定角度に保持可能としたため、比重針固定台１の使用時における操作性を向上することができる。
【００３７】
図８は、本発明の他の実施形態に係る比重針固定台の斜視図、図９は、図８の比重針固定台の正面図、図１０は、図８の比重針固定台の上面図である。
【００３８】
本実施形態では、図４〜図７で説明した実施形態の構成に加えて、スライダ２１を確実に所定位置に固定するための機構を設けている。即ち、スライダレバー２３が、その取り付け位置から回動台３の回動軸線１１と離反する方向へ延出するようにスライダ２１に取り付けられるとともに、この延出方向側の端部に設けられた立設部２３ａにハンドルピン３２を介してハンドル板３１が回動自在に固定されている。立設部２３ａとハンドル板３１との間には、これらが互いに離反する方向へ付勢するハンドルバネ３３が設けられている。
【００３９】
スライダ２１を移動させながら、回動台３を上方向へ回動して比重針４を持ち上げる際には、ハンドル板３１と立設部２３ａとを手指等で把持して、これらがハンドルピン３２の上方で近接するようにハンドル板３１をハンドルバネによる付勢力に抗して回動させる。これによってハンドル板３１の下端部３１ａが基台２から離反して固定力が解除され、この状態でスライダ２１を押して移動させる。
【００４０】
スライダ２１を所定位置まで移動させた後、スライダ２１を固定する際には、ハンドル板３１と立設部２３ａとを把持していた手指等を放すことによって、ハンドルピン３２の上方ではハンドルバネ３３による付勢力でこれらが離反するとともに、ハンドル板３１の下端部３１ａが基台２へ押し付けられてスライダ２１が固定される。
【００４１】
比重針４から検体を滴下させた後には、比重針４を持ち上げる場合と同様にして、ハンドル板３１と立設部２３ａとを手指等で把持してハンドル板３１を基台２から離反させ、この状態でスライダ２１を引いて移動させることによって、回動台３を比重針４の角度が略水平となるまで下方向へ回動した後、回動台３から比重針４を取り出す。
【００４２】
このように、スライダ２１を確実に所定位置に固定するための機構を設けているため、例えば回動台３とこれに固定した比重針４との総重量が重い場合等に、スライダ２１と基台２との互いの接触面による摩擦抵抗で支えきれずにスライダ２１が基台２上を滑ってしまうこと等を防止することができ、確実に所定位置に固定することができる。
【００４３】
図１１は、本発明の他の実施形態に係る比重針固定台の正面図である。
【００４４】
本実施形態では、回動台３を上方向へ回動させた際に、所定角度で回動を停止させる回動ストッパが基台２に設けられている。即ち、基台２上のピン取り付け部７には、回動台３を停止させる所定角度で壁面４１が形成され、回動台３を上方向へ回動させた際に、回動台３の延出部６が壁面４１へ当接することによって、この所定角度で回動を停止させるようにしている。
【００４５】
回動ストッパを設けた他の例を図１５、１６に示す。この実施形態では、回動台３にピン５を介して歯車５１が固定され、基台２には把持部５６を設けた歯車５２が回動自在に取り付けられている。そして、把持部５６を手指等で把持して歯車５２を反時計回り方向に回動させることによって、歯車５２と噛合して歯車５１が時計回りに回動して、これによって回動台３が回動して持ち上がるようになっている。そして、歯車５２に隣接してストッパ５３を設置して、このストッパ５３によって歯車５２の逆転を防止している。
【００４６】
即ち、ストッパ５３には回動部材５５がピン５４を介して回動自在に取り付けられるとともに、その下側には回動部材５５を保持する保持部５３ａが設けられている。歯車５２を反時計回り方向に回動させる際には、回動部材５５は歯車５２の各凹部と係合、離脱を繰り返しながら歯車５２の回動を許容する。一方、反時計回り方向へのトルクを解除すると歯車５２は回動台３の重量によって時計回り方向に回動しようとするが、保持部５３ａによって回動部材５５の回動が停止されて保持されるため歯車５２は回動せず、歯車５２は回動部材５５に支えられてその位置が固定される。
【００４７】
このように、歯車５２とストッパ５３によって回動ストッパを構成し、把持部５６を把持しながら歯車５２の所定の凹凸数だけ回動させることによって、回動台３の回動が所定角度で停止される。
【００４８】
このように、上述した各実施形態では回動ストッパ（壁面４１、歯車５２とストッパ５３、貫通穴２４の端部）を設けているので、回動台３の回動を所定角度で停止可能であり、比重針固定台１の使用時における操作性を向上することができる。
【００４９】
図１２は、本発明の他の実施形態に係る比重針固定台の斜視図、図１３は、図１２の比重針固定台の正面図である。
【００５０】
本実施形態では、回動台３を回動駆動する部材を基台２に設けるとともに、操作者がこの回動駆動部材を一定量だけ位置変位させた際に回動台３が略一定角度回動する機構を設けている。
【００５１】
即ち、スライダ２１によって案内される回動台３の摺動面２２は、スライダ２１を摺動面２２上を摺動させながら一定量だけ位置変位させた際に、回動台３が略一定角度回動するように円弧状の曲面に形成されている。
【００５２】
例えば摺動面２２を平面状とした場合、図１４に示したようにスライダレバー２３を把持してスライダ２１の位置を同図の▲１▼に対応する位置から順に▲６▼に対応する位置まで、▲１▼→▲２▼、▲２▼→▲３▼・・・、▲５▼→▲６▼と一定量ずつ変位させていくと、回動台３の回動角度は▲１▼’→▲２▼’、▲２▼’→▲３▼’・・・、▲５▼’→▲６▼’と順に回動するに従って次第に大きくなる。このため、スライダ２１を摺動面２２上を摺動させながら略等速で移動させていくと、回動台３が回動する角速度は急に大きくなっていき、操作性に支障を生じることがある。
【００５３】
これに対して、図１２、１３に示したように、本実施形態では摺動面２２を円弧状の曲面に形成しているため、スライダ２１の一定量の位置変位に対して回動台３は常に略一定量の回動をすることになる。したがって、スライダ２１を摺動面２２上を摺動させながら略等速で移動させた際に、回動台３が回動する角速度は常に略等速となる。
【００５４】
好ましくは、スライダ２１と当接した点における摺動面２２の接線が常にほぼ同一角度を有するように摺動面２２の曲面が形成されるが、摺動面２２を円弧状に形成することによって、摺動面２２が直線上に形成されている図１４に示したような場合と比較して、スライダ２１が移動して回動軸線１１方向に近づいた際における回動台３の急峻な立ち上がりが防止される。
【００５５】
このように、本実施形態では手動により回動台３を回動させる際に、その回動速度を調整する回動速度調整手段としてスライダ２１と摺動面２２とを設け、回動台３を回動駆動する回動駆動部材（スライダ２１）の一定量の位置変位によって、回動台３を略一定角度回動させるように構成したので、回動台３を回動させる際における操作性が向上する。
【００５６】
この他、この回動速度調整手段は、例えば図１５、１６で示した実施形態における歯車５１と歯車５２で構成することもできる。即ち、基台に取り付けられた歯車５２（回動駆動部材）の把持部５６を把持して回動することによってその角度位置を変位させて、これにより回動台３を回動駆動することで、歯車５２の一定量の位置変位によって回動台３を略一定角度回動させることも可能である。
【００５７】
以上説明した各実施形態の比重針固定台は、ヘモグロビン測定装置に組み込んで使用することができる。即ち、これらの比重針固定台と、分光光度計等で構成される吸光度測定部とからヘモグロビン測定装置が構成され、比重針固定台に固定された比重針４から検体保持材へ滴下された検体を測定して得た吸光度に基づきヘモグロビン濃度が算出される。
【００５８】
吸光度測定部は、検体保持材（検体保持手段）と、検体保持材内の検体へ測定光を照射する光照射手段とを備え、光照射手段から検体を保持した検体保持材へ照射された測定光の透過光もしくは反射光を検出してヘモグロビン濃度が算出される。
【００５９】
比重針４から検体保持材へ検体を滴下し、この検体保持材へ測定光を照射するための構成は特に限定されないが、例えば、複数の検体保持材が同一円周上に配置されたディスクを設けるとともに、このディスクを回転させることによって各検体保持材が回動台３に固定された比重針４の針先４ａから鉛直方向の位置へ移動可能となるように構成し、回動台３を回動して比重針４の針先４ａから検体を滴下させて、基台２に形成された貫通穴９を介して基台２の裏面側に位置する検体保持材によって滴下された検体を受けて保持し、この検体保持材内の検体へ光照射手段によって測定光を照射して吸光度測定を行うように構成することができる。
【００６０】
【発明の効果】
本発明の比重針固定台およびこれを用いたヘモグロビン測定装置によれば、回動台をその取り付け位置を支点として回動自在に基台へ取り付けるとともに、回動台を回動させることによって回動台に固定された比重針をその針先を中心として回動させているため、検体は常に略同一位置にある針先から滴下される。したがって、簡易な操作によって常に同一条件で検体を滴下することが可能である。
【００６１】
また、スライダを設けることによって回動台を所定角度に保持可能としたため、比重針固定台の操作性が向上する。
【００６２】
また、回動ストッパを設けることによって回動台の回動を所定角度で停止可能としたため、比重針固定台の操作性が向上する。
【００６３】
また、手動により回動台を回動させる際に、その回動速度を調整する回動速度調整手段を設け、回動駆動部材の一定量の位置変位によって、回動台を略一定角度回動させるように構成したので、回動台を回動させる際における操作性が向上する。
【図面の簡単な説明】
【図１】図１は、本発明の一実施形態に係る比重針固定台の斜視図である。
【図２】図２は、図１の比重針固定台の正面図である。
【図３】図３は、図１の比重針固定台の部分上面図である。
【図４】図４は、本発明の他の実施形態に係る比重針固定台の斜視図である。
【図５】図５は、図４の比重針固定台の正面図である。
【図６】図６は、図４の比重針固定台の上面図である。
【図７】図７は、図４の比重針固定台のＡ−Ａ線による部分断面図である。
【図８】図８は、本発明の他の実施形態に係る比重針固定台の斜視図である。
【図９】図９は、図８の比重針固定台の正面図である。
【図１０】図１０は、図８の比重針固定台の上面図である。
【図１１】図１１は、本発明の他の実施形態に係る比重針固定台の斜視図である。
【図１２】図１２は、本発明の他の実施形態に係る比重針固定台の斜視図である。
【図１３】図１３は、図１２の比重針固定台の正面図である。
【図１４】図１４は、摺動面を直線状とした場合におけるスライダの移動量と回動台の回動量との関係を説明する図である。
【図１５】図１５は、本発明の他の実施形態に係る比重針固定台の上面図である。
【図１６】図１６は、図１５の比重針固定台における回動機構を説明する図である。
【図１７】図１７は、従来の比重針固定台を説明する図である。
【符号の説明】
１：比重針固定台
２：基台
３：回動台
４：比重針
４ａ：針先
５：ピン
６：延出部
７：ピン取り付け部
８：溝
９：貫通穴
１０：レバー
１１：回動軸線
２１：スライダ
２１ａ：支持部
２１ｂ：案内部
２１ｃ：押さえ部
２２：摺動面
２３：スライダレバー
２３ａ：立設部
２４：貫通穴
３１：ハンドル板
３１ａ：下端部
３２：ハンドルピン
３３：ハンドルバネ
４１：壁面
５１：歯車
５２：歯車
５３：ストッパ
５３ａ：保持部
５４：ピン
５５：回動部材
５６：把持部
１００：比重針固定台
１０４：比重針
１０４ａ：針管
１０４ｐ：針元
１０４ｑ：支点
１０４ｒ：針先
１５１：Ｒ部
１５２：検体保持材
１５３：垂直線
【図１】
2005017124.tif 000003
【図２】
2005017124.tif 000004
【図３】
2005017124.tif 000005
【図４】
2005017124.tif 000006
【図５】
2005017124.tif 000007
【図６】
2005017124.tif 000008
【図７】
2005017124.tif 000009
【図８】
2005017124.tif 000010
【図９】
2005017124.tif 000011
【図１０】
2005017124.tif 000012
【図１１】
2005017124.tif 000013
【図１２】
2005017124.tif 000014
【図１３】
2005017124.tif 000015
【図１４】
2005017124.tif 000016
【図１５】
2005017124.tif 000017
【図１６】
2005017124.tif 000018
【図１７】
2005017124.tif 000019